(57)【特許請求の範囲】
【請求項１】
水路内に潜孔が空けられた複数の隔壁を設けるとともに、これら潜孔のうち、隣接する潜孔の開口面を、遡上させるべき魚類等水中生物の全てが通過可能なように流れ方向に一部重なり合わせて配置し、かつ上下流水域間の最大水位差に対して、遡上させるべき魚類等水中生物の遡上力に応じた低い潜孔流速となるように各隔壁間の水位差を小さく保つべく、隔壁数を増大もしくは隔壁間隔を狭めることによって、潜孔からの流速の抑制と魚類等水中生物の通路確保を同時に図ることを特徴とする魚道水路の設計方法。
【請求項２】
請求項１に記載の魚道で、隣接する潜孔の開口面が非重合でも遡上させるべき魚類等水中生物の全てが通過可能な場合において、隣接する潜孔の開口面を非重合としたことを特徴とする請求項１に記載の魚道水路の設計方法。
【請求項３】
隣接する潜孔が左右交互に配置されることを特徴とする請求項１又は２に記載の魚道水路の設計方法。
【請求項４】
潜孔は、隔壁に矩形状に形成されることを特徴とする請求項１から３のうちいずれか１に記載の魚道水路の設計方法。
【請求項５】
隔壁間隔を狭めることにより水路内への異物の流入を抑制することを特徴とする請求項１から４のうちいずれか１に記載の魚道水路の設計方法。
【発明の詳細な説明】
【０００１】
【発明の属する技術分野】
本発明は、魚道水路の設計方法に関する。
【０００２】
【従来の技術】
魚道水路は、水位差のある水域間を結び、両水域間を魚類等水中生物が移動出来るように設計される。このような魚道水路には、水路内流速を抑えるため、その内部を隔壁で仕切ったものもあり、これらには、隔壁上端の全面もしくは一部から流れを越流させるもの、隔壁の一部に縦溝（スロット）もしくは潜孔（オリフィス）を空け、そこから流れを疎通させるものがある。これらの魚道では、各々の越流部、スロット、オリフィスを魚が通過できるように隣接する隔壁の段差や魚道の水深が設定される。
【０００３】
【発明が解決しようとする課題】
しかしながら、越流式の魚道は、魚道の上流側水域の水深増大により越流速もしくは越流量が大きく変化し、魚道内の流れの攪乱が著しくなって、魚類等が遡上し難くなるという問題がある。また、越流式の魚道の隔壁には、隔壁間に溜まった土砂を排除するための潜孔（オリフィス）が設けられることが多いが、越流部から魚が遡上できる範囲で隔壁段差を大きめに設計するため、越流速よりも流速が速くなる潜孔（オリフィス）部分から魚が遡上するのは困難となる。
【０００４】
一方、スロット式や潜孔式の魚道では、スロット流速もしくは潜孔流速を魚が遡上可能な所定流速以下に抑えるため、隔壁段差（隔壁上下流の水位差）を小さくしなければならず、このため魚道水路の勾配を急に出来ない、すなわち魚道水路の傾斜度を大きくできないという問題がある。このため魚道上下流両水域の落差に対する魚道延長が長大化して魚道が大規模化し、コストが高くなるという問題がある。
【０００５】
加えて、スロット式の魚道には、スロット部に浮遊流下物が詰まることによるスロット流速の増大という問題もある。これを防ぐべくスロット幅を広げると、それに応じて魚道幅の拡大もしくは隔壁間隔の拡大が必要となり、魚道水路が大規模化してコスト高を招くという問題がある。
【０００６】
さらに、以上のごとく魚道内に隔壁を配置した構造では、洪水時のような魚道冠水時もしくは冠水後に浮遊流下物が魚道内の隔壁間に沈積してしまい、それにより魚道内の流れの悪化や魚道の閉塞を招くという問題がある。これを防ぐためには魚道水路上部にグレーチング（鉄格子）などの高価な防護施設を別途設ける必要があった。
【０００７】
本発明は上記課題を解決するためになされたもので、魚道勾配が急であったり水路幅が狭いといった地形的条件の制約下においても、魚道水路の上下流側両水域の水位変動に関係なく、魚道水路の流速及び流量の増大を抑制し、多様な魚類を遡上させやすくすることができるとともに、魚道水路への異物の流入を阻止しやすい魚道水路の設計方法を提供することを目的とするものである。
【０００８】
【課題を解決するための手段】
本発明にかかる魚道水路の設計方法は、上下流側水域間を結ぶ水路内に複数の隔壁を設け、これら隔壁に空けられた潜孔（オリフィス）により流路を構成するとともに、これら潜孔のうち、隣接する潜孔の開口面が流れ方向に一部分だけ重なり合う、もしくは全く重なり合わないように互いにずらして配置したものである。
【０００９】
隣接する潜孔の開口面が互いにずらして配置されているので、隔壁間隔、すなわち潜孔間の間隔が狭くとも、潜孔からの流れがその直下流側の潜孔へそのまま通り抜けず、潜孔からの流速や流量を一定以下に抑えることができる。また、潜孔からの流れの一部がその直下流の潜孔に衝突し滞留することから潜孔下流の隔壁間（プール）の水深および水位を一定以上に維持できる。以上により小型の魚類等が遡上可能な低流速と大型の魚類等が遡上可能な大きさの水深を確保できる。
【００１０】
潜孔からの流速や流量を抑えつつ魚道水路内の隔壁間隔を狭められることから、魚道水路全長が既定な場合には、小型の魚類等の遡上を図りつつ魚道水路内の隔壁数を増すことができる。各隔壁の上下流には隔壁に画成されている潜孔からの流速に応じた一定の水位差が生じるので、隔壁数の増大により全隔壁により生じる水位差、すなわち魚道水路両端の水位差（落差）を大きくすることができる。したがって、小型の魚類等の遡上を図りつつ魚道水路両端の水位差（落差）を大きくすることが可能となる。同様に、魚道水路上下流水域各々の水位変動が大きく、それに伴い魚道水路両端の水位差（落差）が大きくなる場合にも小型の魚類等の遡上を図ることが可能となる。小型の魚類等の遡上が可能な程度に潜孔流速を抑えられるので、潜孔開口面を十分大きくとれば大型の魚類等の遡上も可能となる。
【００１１】
一方、魚道水路両端の水位差（落差）が既定な場合には、潜孔からの流速や流量を抑えつつ魚道水路内の各隔壁の間隔を狭められることから、小型の魚類等の遡上を図りつつ魚道水路の全長を短縮することが可能となる。すなわち、小型の魚類等の遡上を図りつつ魚道水路を急勾配化できる。小型の魚類等の遡上が可能な程度に潜孔流速を抑えられるので、潜孔開口面を十分大きくとれば大型の魚類等の遡上も可能となる。
【００１２】
また、魚道水路全長と魚道水路両端の水位差（落差）が既定な場合には、魚道水路内の隔壁間隔を狭められることから隔壁総数を増やし各隔壁上下流の水位差を小さく抑えることができる。隔壁上下流の水位差（潜孔上下流の水位差）を小さくできるので、潜孔流速をさらに低減でき、遊泳力が極めて弱い魚類等の遡上も図ることができる。潜孔流速を低く抑えられるので、潜孔開口面を十分大きくとれば大型の魚類等の遡上も可能となる。
【００１３】
請求項１に係る魚道水路の設計方法は、水路内に潜孔が空けられた複数の隔壁を設けるとともに、これら潜孔のうち、隣接する潜孔の開口面を、遡上させるべき魚類等水中生物の全てが通過可能なように流れ方向に一部重なり合わせて配置し、かつ上下流水域間の最大水位差に対して、遡上させるべき魚類等水中生物の遡上力に応じた低い潜孔流速となるように各隔壁間の水位差を小さく保つべく、隔壁数を増大もしくは隔壁間隔を狭めることによって、潜孔からの流速の抑制と魚類等水中生物の通路確保を同時に図るようにしたものである。
【００１４】
請求項１に係る魚道水路の設計方法では、隣接する潜孔開口面の一部分のみをずらし、一部は重ね合わせた形状なので、その分、魚道水路の幅を狭めることができる。また、潜孔の重なり合う部分、潜孔の重なり合わない部分、潜孔の重なり合わない部分の潜孔周縁部付近において流速に多様性が生じるので、魚道水路両端の水位差（落差）が比較的大きい場合にも遊泳力が強い大型の魚類等から遊泳力が弱い小型の魚類等まで多様な魚類等を遡上させやすくなる。
【００１５】
例えば、隣接する潜孔のずらし度によっては、遊泳力が強い大型の魚類等は、流速が速いものの魚道水路下流端から上流端まで直線状に遡上可能な「隣接する潜孔開口面の重なり合う部分」を通って遡上可能である。隔壁間隔が狭く大型の魚類等がこの隔壁の間で休息不可能な場合でも、潜孔流速が十分低く抑えられていれば、この直線状の経路を通って一気に遡上できる。一方、潜孔開口面のうち、「隣接する潜孔開口面と重なり合わない部分」では、流速が低下するので、中小型の魚類等はそこを通って隔壁間の水域で方向転換しつつ遡上できる。
【００１６】
請求項２に係る魚道水路の設計方法は、請求項１に記載の魚道で、隣接する潜孔の開口面が非重合でも遡上させるべき魚類等水中生物の全てが通過可能な場合において、隣接する潜孔の開口面を非重合としたものである。
【００１７】
請求項２に係る魚道水路の設計方法では、隣接する潜孔の開口面に重なり合う部分がないように潜孔を配置しているので、隔壁間隔が狭い場合、請求項１の形状以上に潜孔流速を抑えやすい。反面、隣接する潜孔開口面に重なり合う部分がないので、隔壁間隔が過度に狭いと大型の魚類等の通過に支障をきたしやすい。請求項２の形状では、この障害を減じるため、大型の魚類等が隔壁間の水域で方向転換できる程度以上に隔壁間隔を広げている。
【００１８】
請求項３に係る魚道水路の設計方法は、隣接する潜孔開口面が左右に交互に配置されるようにしたものである。
【００１９】
請求項３に係る魚道水路の設計方法では、隣接する潜孔開口面を左右に交互に配置することにより、魚道水路の幅を狭くすることができる。
【００２０】
請求項４に係る魚道水路の設計方法は、潜孔は、隔壁に矩形状に形成されるようにしたものである。
【００２１】
請求項４に係る魚道水路の設計方法では、潜孔を、隔壁に矩形状に形成したことにより、例えば、円形や楕円形のような曲線状に形成される潜孔に比べて矩形状の潜孔開口面の隅部や底部の流速を中心部に比べ低下させることができるので、より小型の魚類等を遡上させることができる。
【００２２】
請求項５に係る魚道水路の設計方法は、隔壁間隔を狭めることにより水路内への異物の流入を抑制するようにしたものである。
【００２３】
請求項５に係る魚道水路の設計方法では、例えば、魚道水路冠水時もしくは冠水後の魚道水路内への浮遊流下物の流入を抑制することができる。隔壁間隔が狭いので隔壁上を異物が流下しやすいうえ、たとえ異物が漂着しても複数の隔壁で支えるので、異物によるダメージを受けにくくできる。なお、隔壁間隔の縮小に伴い単位区間当たりの隔壁数は増大するが、複数の隔壁で載荷異物を支えること、および小型の魚類等が遡上可能な程度に潜孔からの流速を低減させた場合には各隔壁上下流の水位差もそれに応じて小さくなることから、隔壁の強度を下げることができ、隔壁の薄肉化もしくは低コストな隔壁材質の採用が図れる。さらに隔壁の薄肉化により魚道水路内に隔壁をはめ込んで施工できるようになるなど、施工や維持管理も容易になる。したがって、隔壁数増大の割にコスト増大を生じない。
【００２４】
【発明の実施の形態】
以下、図面に基づいて本発明の実施の形態について説明する。図１は本発明の一実施の形態に係る魚道水路を示す一部省略平面図、図２は図１のＩＩ−ＩＩ線に沿った縦断面図、図３の（Ａ）は図１のＩＩＩ−ＩＩＩ線に沿った隔壁１を上流側から見た断面図、図３の（Ｂ）はこの隔壁１に隣接する隔壁を上流から見た断面図である。
【００２５】
本発明の一実施の形態に係る魚道水路２は、図１及び図２に示すように、水位の高い水域３とこの水域３より水位が低い水域４とを結んで設けられる。魚道水路２は、高位の水域３の水を低位の水域４に流すようになっている。以下、高位の水域３を上流側水域、低位の水域４を下流側水域と呼ぶ。なお、現地条件によっては、各々の水域の水位変動により高水位の水域と低水位の水域が入れ替わることもありうるが、ここでは、ある一時点の水位の状態に基づき説明するものとする。
【００２６】
本実施の形態に係る魚道水路２は、図１から図３に示すように、上流側水域３の底面３ａと下流側水域４の底面４ａとを接続する底部５とこの底部５の両側に形成される側壁６ａ、６ｂとを備えている。これら側壁６ａ、６ｂと底部５とにより、上流側水域３と下流側水域４との間を結ぶ水の通路７が形成されるようになっている。
【００２７】
底部５と各側壁６ａ、６ｂとにより画成される空間８内には、図１から図３に示すように、上流側水域３側から下流側水域４側にかけて上流側と下流側とを隔てる隔壁１（１ａ〜１ｎ）が複数設けられる。上下流側で隣接する隔壁１間には、プール９（９ａ〜９（ｎ−１））が形成される。隔壁１には潜孔（オリフィス）１０が形成され、この潜孔１０は、上流から下流への流れを許容し、潜孔１０から通過させるべき魚類等が通過可能な開口面を有するとともに、隣接する他の潜孔１０と流れ方向の開口面が一致しないように互いにずらして配置される。また、上下流側水域３、４各々の最低水位（魚道水路２から魚類等を遡上させる期間における最低水位）に対して潜孔１０が水没する高さ以下に各潜孔１０の上端標高は低く設定される。各潜孔１０の開口高さＨ１０は、潜孔１０から通過させるべき魚類等の各々についてそれが通り抜ける部分においてはそれが通り抜けられる開口高さ以上とし、これに応じて決まる各潜孔１０の下端標高以下に底部５及び底面３ａ、４ａの標高は設定される。すなわち、底面３ａについては隔壁１ａの潜孔１０の下端標高と同じかそれより低い標高に、底面４ａについては隔壁１ｎの潜孔１０の下端標高と同じかそれより低い標高にそれぞれ設定される。
【００２８】
この魚道水路２の各隔壁１における上下流の水位差は、潜孔１０における流速分布が潜孔１０から通過させるべき魚類等が全て通過可能な程度に低くなるように決められる。魚道水路２で遡上させるべき魚類等の遊泳力が弱い場合は、潜孔１０での流速が小さくなるように各隔壁１における上下流水位差を小さくする。このようにして決められた各隔壁１における上下流水位差以下の水位差が、各隔壁１において保たれるように、上下流側水域３、４の最大水位差Ｚ２（魚道水路２から魚類等を遡上させる期間における最大水位差）に応じて隔壁１の総数が決められる。この総数以上に隔壁１を設ければ、上下流側水域３、４間の水位差が最大水位差Ｚ２以下である限り、上下流側水域３、４の水位変動に依らず潜孔１０からの流速を潜孔１０から通過させるべき魚類等が通過可能な程度以下に保つことが可能となる。これにより各プール９内の流速も潜孔１０から通過させるべき魚類等が通過可能な程度以下にできる。
【００２９】
しかしながら、隔壁間隔Ｄ１を狭めた場合には、上流の潜孔１０からの流れが下流の潜孔１０へとストレートに通り抜けてしまい、それに伴いそれら潜孔１０の間のプール９の水位が低下する。プール９の水位低下は、上流側の潜孔１０が画成されている隔壁１の上下流の水位差の増大をきたし、それにより上流側の潜孔１０における流速と流量の増大を生じることになる。これにより潜孔１０における流速が過大となり、もしくはプール９における水深が過小となり潜孔１０から遡上させるべき魚類等の遡上が困難になる。
【００３０】
本発明では、このような問題を解決するため、隔壁間隔Ｄ１の短縮に応じて、隣接する潜孔１０の開口面が流れ方向に完全に重ね合わさることがないように互いにずらして配置している。すなわち、隣接する潜孔１０の開口面のうち、流れ方向に重ね合わさる部分が一部しかないように、もしくは全くないように各潜孔１０を配置している。このずらし度により定まる上下流側潜孔１０の「重ね合わさる開口面１０ａ」が、潜孔１０から遡上させるべき魚類等のうち大型のものが通過可能な程度未満の断面積となり、かつ隔壁間隔Ｄ１もこれら大型の魚類等が隔壁１間の水域で方向転換して隣接する潜孔１０を通過できる程度未満の間隔になる場合には、例えば、これら大型の魚類等が隣接する潜孔１０間を通過可能な程度以上に「重ね合わさる開口面１０ａ」の断面積を大きくすべく一定以上の大きさのずらし度を維持したまま潜孔１０の断面積を広げる、もしくは隔壁間隔Ｄ１を広げる等の形状調節を行う。以上の形状調節により隔壁間隔Ｄ１の短縮に対して潜孔１０からの流速や流量を一定以下に抑えつつ、小型から大型までの多様な魚類等が遡上可能な流れを確保できる。なお、上記のように潜孔１０から遡上させるべき魚類等が潜孔１０から通過できる流れの状態が潜孔１０において確保される限りにおいて、潜孔１０のずらし度・配置・寸法・形状、隔壁１の寸法・形状、隔壁間隔Ｄ１は全ての潜孔１０、隔壁１、隔壁１間で同一である必要はない。同様に、潜孔１０のずらし度・配置・寸法・形状や隔壁１の寸法・形状、隔壁間隔Ｄ１は図１から図３に示すものと同一である必要はない。また、同様に、隔壁１上に潜孔１０以外の放流部や他の潜孔１０があってもかまわず、底面３ａ、底面４ａ、底部５の標高が潜孔１０の下端標高より低くてもかまわない。
【００３１】
本魚道水路２において各隔壁１は、潜孔１０から遡上させるべき魚類等が潜孔１０から通過できる流れの状態が潜孔１０において確保される限りにおいて、図１および図２のように上流側水域３と下流側水域４を結んだ直線に直交した向きに配置される必要はなく、また、それらの向きは同一である必要はない。同様に隔壁１は必ずしも垂直に設置される必要はなく、また、それらの傾きは同一である必要はない。
【００３２】
本魚道水路２において側壁６ａ、６ｂは、潜孔１０から遡上させるべき魚類等が潜孔１０から通過できる流れの状態が潜孔１０において確保される限りにおいて、図１のように直線状に形成する必要はなく、湾曲もしくは屈曲した平面形やジグザグの平面形であっても構わない。同様に、側壁６ａ、６ｂの傾斜は底部５もしくは底面３ａ、４ａに対し必ずしも直立させる必要はなく、魚道水路２内部で同一の傾斜にする必要もない。
【００３３】
本魚道水路２において魚道水路２の底部５、上流側水域３の底面３ａ、下流側水域４の底面４ａの各々の傾斜、標高、縦断形状、および相互の標高の上下関係は、潜孔１０から遡上させるべき魚類等が潜孔１０から通過できる流れの状態が潜孔１０において確保される限りにおいて、図２のようである必要はない。
【００３４】
上記のように本魚道水路２においては、隔壁間隔Ｄ１を狭くできることにより、上下流側水域３、４の最大水位差Ｚ２に対して魚道水路２の全長Ｌ２を短縮することができ、魚道水路２の傾斜を急勾配にできる。一方、魚道水路２の全長Ｌ２をある程度確保できる地形条件のところでは、隔壁間隔Ｄ１を狭くできることにより魚道水路２内部の隔壁数を増やすことができる。隔壁１の上下流には最大で「潜孔１０から通過させるべき魚類等が通過可能な程度の水位差」を生じさせることができるので、隔壁数が増えれば、その分、上下流側水域３、４間の最大水位差（落差）Ｚ２を大きくできる。これにより上下流側水域３、４の水位変動が大きく、それに伴い上下流側水域３、４間の最大水位差Ｚ２が大きくなる場合にも多様な魚類等の遡上が図れる。さらに、隔壁間隔Ｄ１を狭くできることにより、異物が各隔壁１の隙間から魚道水路２内部に入ることを抑制できる。
【００３５】
次に、上記実施の形態に係る魚道水路２の作用について図１から図３の魚道水路２の事例図に基づき説明する。
【００３６】
図１から図３において上流側水域３の水位が上昇し上流側水域３と第一のプール９ａの間の水位差が高まると、それに伴う圧力差の増大により最も上流側の隔壁１ａに形成された潜孔１０からの流出水は増大する。この流水は、その一部が隣接する下流側の隔壁１ｂの潜孔１０の上流側潜孔開口面と重なる開口面１０ａからストレートに下流のプール９ｂに流出するものの、隣接する潜孔１０の開口面を流れ方向に一部分以下しか重ね合わさらないように互いにずらして配置しているため、他の一部は下流側の隔壁１ｂに当たって時間のずれを伴って下流のプール９ｂに流出する。この場合、隔壁間隔Ｄ１が狭ければ上流側の潜孔１０からの流入水脈がプール９ａ内部で拡散せず、流入水の多くが下流側の潜孔１０にストレートに抜けやすくなる。上流側の潜孔１０からの流入水の多くが下流側の潜孔１０からストレートに抜ける場合には、プール９ａの水位が大きく低下して潜孔１０を通過する流れの流速が下流に向けて加速しやすくなる。しかし、隔壁間隔Ｄ１に応じて、隣接する潜孔１０の開口面のずらし度を高めた場合には、上流側の潜孔１０からの流入水のうち、隔壁１ｂに当たり、時間ずれを伴って下流のプール９ｂへと流出していくものの割合が大きくなる。
【００３７】
上記のような場合、上下流側の潜孔１０における放流の時間ずれのため、第一のプール９ａでは上流側の潜孔１０からの流入水量よりも下流側の潜孔１０からの流出水量が著しく小さくなってプール９ａの水位は上昇していく。この水位の上昇によりプール９ａの水位と上流側水域３の水位差は小さく保たれ、プール９ａの上流側の潜孔１０での流速やそこからの流入水量も一定以下に抑制される。一方、プール９ａの水位上昇によりプール９ａと下流側のプール９ｂとの水位差は増し、それに伴う圧力差の増大によりプール９ａの下流側の潜孔１０からの流出水量は増えていく。最終的にはプール９ａの上流側の潜孔１０からの流入水量と下流側の潜孔１０から流出水量は均衡し、プール９ａの水位は安定するようになる。同様の現象が順次、下流側のプール９に伝播していくことにより、各プール９ａ〜９（ｎ−１）の水位は上流側水域３の水位上昇に応じた分だけ上昇して安定することになり、隣接する各プール９間（各隔壁１間）の水位差も一定以下に安定する。すなわち、隔壁間隔Ｄ１を狭めても潜孔ずらし度を一定以上に保つことにより各プール９での水位低下を抑制でき、各プール９間の水位差の増大とそれに伴う各潜孔１０での流速と流量の増大を一定以下に抑えることができる。これに伴いプール９内の流速の増大も一定以下に抑えることができる。
【００３８】
このような状況は上流側水域３の水位が低下した場合も同様であり、この場合には、各プール９の上流側の潜孔１０からの流入水量が下流側の潜孔１０からの流出水量よりも小さくなり、各プール９内の水位は漸次低下することになる。各プール９の水位は、その上下流の潜孔１０からの流量がほぼ均衡するところで安定する。一方、下流側水域４の水位変動に対しては、下流側のプール９から水位が漸次変動し安定していくことになるが、それ以外の基本的な作用は、上流側水域３の水位変動に対する場合と同様である。なお、水中での圧力の伝播は速く、それに伴い各プール９の水位も上下流側水域の水位変動に速やかに追従するので、変動の途中で各プール９間の水位差が変動前の水位差と変動後の安定した水位差の間の水位差の値を超えて大きくなること、それに伴い潜孔１０からの流速が変動前の流速から変動後の安定した流速を超えて大きくなることはない。
【００３９】
以上のように魚道水路２内の各潜孔１０での流速と流量は、隣接する潜孔１０の開口面を一定以上ずらすことにより、上下流側水域３、４の水位変動に依らず一定以下の値に安定させることができる。各潜孔１０の安定後の流速や流量の値は、水位変動後の上下流側水域３、４の水位差（落差）が大きいほど大きくなる。したがって、この魚道水路２から魚類等を遡上させる期間における上下流側水域３、４の水位変動により生じる上下流側水域３、４の最大水位差（最大落差）に対して、潜孔１０から遡上させるべき魚類等が全て通過できるように各潜孔１０の流速を一定以下に抑えるべく、隣接する潜孔１０のずらし度を適切にとれば、潜孔１０からの魚類等の通過には支障を生じないこととなる。
【００４０】
すなわち、隣接する潜孔１０のずらし度が適切であれば、「隣接する潜孔１０の開口面の流下方向に重なる部分１０ａ（流速が比較的速い部分）」と「隣接する潜孔１０の開口面の流下方向に重ならない部分１０ｂ（流速が比較的遅い部分）」及び「隣接する潜孔１０開口面の流下方向に重ならない部分１０ｂのうち潜孔１０の周縁部で流速が特に遅くなる部分」で多様な流速が生じ、大型の遊泳力が強い魚類等から小型の遊泳力が比較的弱い魚類等まで多様な魚類等の遡上が可能になる。
【００４１】
【実施例】
本発明の実施例を図４から図７に示す。
【００４２】
図４では魚道水路２の底部５の勾配が１／２．５と従前の魚道の最大相当となっている。また、隔壁１（魚道水路２）の幅Ｗ１は１ｍであり従前の魚道の最小相当である。さらに各隔壁間隔（水平距離）Ｄ１は０．２５ｍと狭く、流木など浮遊流下物が沈積しにくいものとなっている。
【００４３】
一方、通路７の幅は１ｍ、高さは１．６ｍ以上であり、隔壁１が通路７内に１４枚設けられている。各隔壁１は、高さ１．６ｍで開口高さＨ１０＝０．２５ｍ、開口幅Ｗ１０＝０．４７５ｍの潜孔１０が空けられている。隣接する潜孔１０の流下方向に重なる開口面１０ａは幅０．１５ｍ、高さ０．２５ｍである。開口面１０ａの中心は魚道水路２の中心線上にあり、隣接する潜孔１０は左右互い違いに交互に配置されている。
【００４４】
本実施例における魚道水路２の流れの状況を図８から図１２に示す。
【００４５】
図８は、図４から図７の魚道水路２の水深を変動させた場合の各隔壁１（もしくは各潜孔１０）の上下流の水位差の変動を示す。図８より水深が一定以上確保されていれば急勾配で隔壁間隔Ｄ１が狭い形状にも関わらず、各隔壁１（もしくは各潜孔１０）の上下流水位差は略安定化することがわかる。すなわち、隣接する潜孔１０の間を流れがストレートに抜け、それら潜孔１０の間のプール９の水位（もしくは水深）が大きく低下して、隔壁１（もしくは潜孔１０）の上下流水位差が著しく増大するという状況は見られない。
【００４６】
次に、図９により図４から図７の魚道水路２の水深を変動させた場合の潜孔１０の流量の変化を示す。図９より水深が一定以上確保されていれば急勾配で隔壁間隔が狭い形状にも関わらず、潜孔１０の流量は一定以下に略安定化できることが分かる。この潜孔流量は従前の魚道流量の最小に相当するものである。一方、潜孔１０の断面積は固定なことから潜孔１０からの流速（断面平均流速）も一定以下に抑えられることがわかる。
【００４７】
次に、図１０により図４から図７の魚道水路２の水深を変動させた場合の各プール９の水深の変化を示す。図１０より水深がある程度以上確保されていれば急勾配で隔壁間隔Ｄ１が狭い形状にも関わらず、各プール９の水深は一定以上で概ね安定することがわかる。各プール９の水深（もしくは水位）は上下流水域３、４の水深（もしくは水位）の変動に追従して増減し一定以上に保たれる。
【００４８】
次に、図１１により図４から図７の魚道水路２における各潜孔（オリフィス）１０の中心流速（図６のＣ１の流速）と隣接する各潜孔（オリフィス）１０の重合開口面１０ａの中心流速（図６のＣ２の流速）を示す。本実施例は、隔壁間隔Ｄ１が狭く急勾配な形状であるにも関わらず、図１１からは各潜孔（オリフィス）１０の中心流速と隣接する各潜孔（オリフィス）１０の重合開口面１０ａの中心流速が双方とも一定以下で安定することがわかる。これらについては特段、下流に向けて加速する状況は見られない。
【００４９】
次に、図１２により図４から図７の魚道水路２における潜孔（オリフィス）１０の周縁付近の流速分布を示す。図１１、図１２のデータから各魚種が遡上可能な経路は図１３のようになる。すなわち、体長０．５ｍ以上の大型魚は流速２ｍ／ｓ以下で休息せずに遡上可能だが図１１より潜孔（オリフィス）１０の重合開口面１０ａの中心（Ｃ２）の流速は２ｍ／ｓ以下なので、潜孔（オリフィス）１０の重合開口面１０ａを通って途中で休まずに図１３の経路Ａから遡上可能である。また、体長０．２５〜０．５ｍの中型魚には流速２ｍ／ｓでは遡上困難なものがいるが、流速１ｍ／ｓでは途中で休息しつつ遡上可能であり、これに対し図１１から潜孔（オリフィス）１０の中心（Ｃ１）の流速は概ね１ｍ／ｓ以下なので、潜孔（オリフィス）１０の中心点（Ｃ１）より周縁の図１３の領域ＳＩで休息しつつ経路Ｂから遡上可能である。一方、体長０．２５ｍ以下の小型魚は長さ０．２５ｍのプール９の内部で方向転回可能な反面、遡上可能流速は体長の１０倍程度なので、小さいものは潜孔（オリフィス）１０の周縁付近の低流速域を通過せざるを得ない。しかし、潜孔（オリフィス）１０の周縁付近には図１２のように低流速域が確保されているのでプール９の内部で休息しつつ潜孔（オリフィス）１０の周縁付近を通って経路Ｃから遡上可能である。
【００５０】
なお、本実施例よりも隣接する各潜孔（オリフィス）１０の重合開口面１０ａの幅を狭めた場合、もしくは無くした場合には、図１３の経路Ａの幅が狭まるのでそこを通過できない大型魚は遡上が困難になる。この場合にはこれらの魚が領域ＳＩもしくはプール９の内部で転回出来る程度以上に隔壁間隔Ｄ１を広げる必要がある。
【００５１】
以上の図８から図１３より、本実施例のように隔壁間隔Ｄ１が狭く、急勾配かつ小規模（狭幅）、小流量な魚道水路２でも、上下流側水域３、４の水深が一定以上であれば多様な魚種が遡上可能な流れの状態をつくりだすことができることがわかる。
【００５２】
すなわち、本実施例の魚道水路２から、急勾配かつ狭幅かつ上下流側水域３、４の水位（もしくは水深）変動が大きい悪条件化でも、既存の魚道の最小規模に相当する０．１ｍ３／ｓ程度の小流量で、多様な魚種の遡上が可能な流れを確保できることがわかる。急勾配（短延長）で狭幅に構築できること、簡易な構造であることから施工費も低減できる。
【００５３】
一方、本実施例の魚道水路２では、隔壁１を０．２５ｍ間隔と近接させて配置しているので、隔壁１自体を魚道冠水時もしくは冠水後の流木など浮遊流下物流入を抑制する防護装置として機能させられる。この際、隔壁間隔Ｄ１が狭く上部に載った浮遊流下物を多数の隔壁１で支えられること、隔壁１の総数の多さから各隔壁１の上下流の水位差を約０．１ｍと小さく抑えられること（図８参照）から、各隔壁１の強度を下げられ、隔壁１の厚さの低減もしくは隔壁１への低強度の部材の選定も可能となる。また、隔壁１の薄肉化により隔壁１を側壁６ａ、６ｂにはめ込み施工することも可能となるなど（図７参照）、施工性の向上も図れる。これらにより隔壁１の総数が増す割に全隔壁のコストを抑制できる。隔壁１により浮遊流下物の魚道水路２内部への沈積やそれによる閉塞を抑えられるので、魚道の維持管理の省力化と適正な魚道内流れの持続的安定化も図れる。さらに各潜孔１０が魚道水路２の底部付近に配置されているので、魚類等の通過経路が底部５から底面３ａ、４ａ近傍となり、水鳥などによる魚類等の捕食も抑えられるとともに魚道内に流入した土砂の排除も成されやすくなる。また、本実施例の魚道水路２の構造は、通常の水路として用いた場合には、急勾配かつ狭幅かつ水路上下流側の水位（もしくは水深）変動が大きい条件下で、水路放流量及び水路流速を一定以下に抑える放流施設としても機能する。
【００５４】
【発明の効果】
本発明に係る魚道水路の設計方法では、水路内に潜孔が空けられた複数の隔壁を設けるとともに、これら潜孔のうち、隣接する潜孔の開口面を、遡上させるべき魚類等水中生物の全てが通過可能なように流れ方向に一部重なり合わせて配置し、かつ上下流水域間の最大水位差に対して、遡上させるべき魚類等水中生物の遡上力に応じた低い潜孔流速となるように各隔壁間の水位差を小さく保つべく、隔壁数を増大もしくは隔壁間隔を狭めることによって、潜孔からの流速の抑制と魚類等水中生物の通路確保を同時に図るようにしているので、魚道水路が急勾配もしくは高落差もしくは魚道水路の敷地が狭わい、もしくは魚道水路上下流側水域の水位変動が大きい条件下でも、潜孔からの流速と流量を一定以下に抑制し、多様な魚類等を遡上させやすくすることができる。
【００５５】
また、請求項２に係る魚道水路の設計方法では、請求項１に記載の魚道で、隣接する潜孔の開口面が非重合でも遡上させるべき魚類等水中生物の全てが通過可能な場合において、隣接する潜孔の開口面を非重合としたので、魚道水路が急勾配もしくは高落差もしくは魚道水路の敷地が狭わい、もしくは魚道水路上下流側水域の水位変動が大きい条件下でも、潜孔からの流速と流量を一定以下に抑制し、多様な魚類等を遡上させやすくすることができる。特に、潜孔からの流速の抑制をはかりやすくなる。
【００５６】
さらに、請求項５に係る魚道水路の設計方法では、隔壁間隔を狭めることにより水路内への異物の流入を抑制するようにしたので、異物等の魚道水路内への流入やそれらによる閉塞も抑えられる。
【図面の簡単な説明】
【図１】本発明の一実施の形態に係る魚道水路の構造の一部省略平面図である。
【図２】図１のＩＩ−ＩＩ線に沿った縦断面図である。
【図３】（Ａ）、（Ｂ）はそれぞれ、図１のＩＩＩ−ＩＩＩ線に沿った隔壁及びそれに隣接する隔壁を上流側から見た断面図である。
【図４】本発明の一実施例の縦断図である。
【図５】図４の区間Ｂを上から見た平面図である。
【図６】（Ａ）、（Ｂ）はそれぞれ図５のＶＩ−ＶＩ線の隔壁及びそれに隣接する隔壁を上流側から見た正面図である。
【図７】図４の斜視図である。
【図８】魚道の水深変動に対する魚道水路内の各隔壁の上下流水位差の変動状況を示した図である。
【図９】魚道の水深変動に対する潜孔流量の変動状況を示した図である。
【図１０】魚道の水深変動に対する各プール（各隔壁間）の水深変動を示した図である。
【図１１】魚道水路内の各潜孔（オリフィス）の中心流速と隣接する各潜孔（オリフィス）の重合断面の中心流速を示した図である。
【図１２】潜孔周縁付近の流速分布の一例を示した図である。
【図１３】各魚種が遡上可能な経路を示した図である。
【符号の説明】
１（１ａ〜１ｎ）  隔壁
２  魚道水路
３  上流側水域
３ａ  （上流側水域の）底面
４  下流側水域
４ａ  （下流側水域の）底面
５  底部
６ａ、６ｂ  側壁
７  通路
８  （底部と側壁により画成される）空間
９（９ａ〜９（ｎ−１））  プール
１０  潜孔（オリフィス）
１０ａ  上下流側潜孔開口面の重ね合わさる部分
１０ｂ  上下流側潜孔開口面の重ね合わさらない部分
１１  側壁の上端部
１２  隔壁をはめ込む溝
【図１】
0003612561.tif 000002
【図２】
0003612561.tif 000003
【図３】
0003612561.tif 000004
【図４】
0003612561.tif 000005
【図５】
0003612561.tif 000006
【図６】
0003612561.tif 000007
【図７】
0003612561.tif 000008
【図８】
0003612561.tif 000009
【図９】
0003612561.tif 000010
【図１０】
0003612561.tif 000011
【図１１】
0003612561.tif 000012
【図１２】
0003612561.tif 000013
【図１３】
0003612561.tif 000014